(57)【要約】【課題】枠体の厚さの異なるパチンコ台の、島に対する取り付け取り外し、及び微調整を簡単に行えるようにする。【解決手段】島の上梁部材４３Ａにアングル部材６１を固定し、アングル部材６１に調整ねじ保持部材６２を取り付ける。調整部材６３は、基端部６３ａが調整ねじ６４の先端に回転可能に係合されており、基端部６３ａにおける調整ねじ６４の中心からずれた位置から前方に延設された先端部６３ｄを有し、この先端部６３ｄが、パチンコ台の枠体の上枠板Ｍ３ａの下面に固定されている。調整ねじ保持部材６２に螺合された調整ねじ６４を回転させることで、調整部材６３を介して、上枠板Ｍ３ａの位置を前後方向に微調整することができる。調整部材６３は、上下を逆転させることで、厚さの厚い上枠板に対応することが可能である。【選択図】図１６
0003130005.tif 000002
【実用新案登録請求の範囲】
【請求項１】
ホールの島構造に設けられた相互にほぼ平行な、遊技機取付け用の上梁部材と下梁部材との間に前記遊技機の枠材を固定するために使用する遊技機の固定構造において、
前記上梁部材に固定された固定部材と、
前記固定部材に対して左右方向移動可能に取り付けられた調整ねじ保持部材と、
前記遊技機の枠体の一部を構成する上枠板であって前記上梁部材の下面に重なるように配置された上枠板に固定された調整部材と、
前記調整ねじ保持部材に螺合されて前後方向に移動可能であるとともに、先端に前記調整部材が係合された調整ねじと、を備え、
前記調整部材は、前記調整ねじの先端に係合された係合部と、前記係合部における前記調整ねじの中心からずれた位置から前方に延設されるとともに、前記上枠板の下面に固定される固定部とを有し、前記固定部が前記調整ねじの中心よりも高い位置に位置する状態で使用する薄板用と、低い位置に位置する状態で使用する厚板用との使用が可能である、
ことを特徴とする遊技機の固定構造。
【請求項２】
前記調整部材の係合部は、前記調整ねじによって回転可能に係合されている、
ことを特徴とする請求項１に記載の遊技機の固定構造。
【請求項３】
前記調整部材の係合部は、前記固定部が前記調整ねじの中心よりも高い位置にあるときを基準とした上下方向に長い長孔を有し、前記長孔は前記調整ねじの先端に対し長手方向に移動可能に係合されている、
ことを特徴とする請求項２に記載の遊技機の固定構造。
【請求項４】
前記固定部材は、左右方向に長い長孔を有し、
前記調整ねじ保持部材は、前記長孔を貫通するボルト部材にナット部材を螺合させることで、前記固定部材に対して左右方向移動可能に取り付けられる、
ことを特徴とする請求項１ないし３のいずれか１項に記載の遊技機の固定構造。
【請求項５】
前記調整部材は、ゴム部材を介して前記調整ねじに係合されている、
ことを特徴とする請求項１ないし４のいずれか１項に記載の遊技機の固定構造。
【請求項６】
ホールの島構造に設けられた相互にほぼ平行な、遊技機取付け用の上梁部材と下梁部材との間に前記遊技機の枠材を固定するために使用する遊技機の固定構造において、
前記下梁部材に固定された調整ねじ保持部材と、
前記調整ねじ保持部材に螺合されて前後方向に移動可能であるとともに、前記遊技機の枠体の一部を構成する下枠板であって前記下梁部材の上面に重なるように配置された下枠板の後端に当接される前後調整ねじと、
前記調整ねじ保持部材に螺合されて上下方向に移動可能であるとともに、前記下枠板の上面を押圧する上下調整ねじと、を備えた、
ことを特徴とする遊技機の固定構造。
【請求項７】
前記上下調整ねじは、下端に、前記下枠板の上面に食い込む爪部を有する、
ことを特徴とする請求項６に記載の遊技機の固定構造。
【請求項８】
ホールの島構造に設けられた相互にほぼ平行な、遊技機取付け用の上梁部材と下梁部材との間に前記遊技機の枠材を固定するために使用する遊技機の固定構造において、
前記上梁部材に固定された固定部材と、
前記遊技機の枠体の一部を構成する上枠板であって前記上梁部材の下面に重なるように配置された上枠板の下面に当接される下アームと、前記固定部材の上方に位置する上アームと、前記下アームと前記上アームとを連結する連結アームとを有し、前記固定部材に対して上下方向移動可能に取り付けられた固定ねじ保持部材と、
前記上アームに螺合されて上下方向に移動可能であるとともに、前記固定部材を上方から押圧する固定ねじと、を備える、
ことを特徴とする遊技機の固定構造。
【請求項９】
前記固定ねじ保持部材の連結アームは、上下方向に長い長孔を有し、
前記固定部材と前記長孔とを貫通するボルト部材にナット部材を螺合させることで、前記固定部材に対して上下方向移動可能に取り付けられる、
ことを特徴とする請求項８に記載の遊技機の固定構造。
【考案の詳細な説明】
【技術分野】
【０００１】
本考案は、パチンコホールやパチスロホールにおけるホールの島構造において、パチンコ台やパチスロ台等の遊技機を簡単に取り外しすることができ、しかも取付け時には、高い取付け精度を容易に実現することができる遊技機の固定構造に関する。
【背景技術】
【０００２】
パチンコホールやパチスロホールにおいては、複数の遊技機を一まとめにしたブロック、いわゆる島を複数個所に設けることで、ホール全体を構成している。このような島は、ホールの新装開店時には新たに構築されたり、また改装時には、古いものを壊して、新たに配置換えされたりする。
【０００３】
この島は、一般に、まず、木枠等によって複数の遊技機を取り付けるための構造物を構成し、次に、これに遊技機を取り付けることで島全体を構築する。この作業は普通、島工事を行う専門の職人によって行われる。
【０００４】
また、特許文献１には、片側３台で２列、計６台の遊技機を備えたブロックを複数並べることで、イベント会場やホール内に多数の遊技機を設置するものが開示されている。
【０００５】
ところが、前者の島工事を伴うものは、工事を行うことができるのが熟練者に限定され、また多くの時間を費やすといった問題があった。このため、ホールの営業ができない時間が長引くといった問題があった。また、一旦構築した島は、再利用ができないという省資源上の問題もあった。
【０００６】
一方、特許文献１に開示されているものは、各ブロックが大きいため、このブロックを搬送したり、並べたりするために、大型のトラックや重機が必要になる等の問題があった。また、イベント会場に設置するには適していても、ホール内に設置するには不向きであるという問題もあった。
【０００７】
このような問題を解消すべく、本願出願人は、先に、特許文献２に係る発明を提案した。すなわち、熟練を要することなく、短時間で構築することができ、しかも再利用が可能であり、さらに運搬時や構築時に大型のトラックや重機が不要で、ホール内に好適に構築することができる島構造を提案した。
【特許文献１】特開２００２−２８３５５号公報
【特許文献２】特開２００５−３０５１１０４号公報
【考案の開示】
【考案が解決しようとする課題】
【０００８】
しかしながら、パチンコ台やパチスロ台等の遊技機は、遊技者が飽きないようにするため、人気のある機種に順次更新するため、比較的頻繁に入れ替えが行われる。したがって、島構造に対する遊技機の取り付け、取り外しが簡単に行えることが求められている。また、遊技台は、取付け時には、垂直に取り付けられるのではなく、垂直に対して、下側が上側よりも少し前に出るように、少し傾斜した状態で高い取付け精度で取り付けられる。このため、傾斜の調整が容易にできる構造が求められていた。さらに、近時、島構造に直接取り付けられることになる、遊技機の枠体が木材だけでなく、例えばアルミニウム等の金属によっても形成されるため、枠材の厚みが異なる場合があり、このような場合でも容易に対応できることが求められていた。
【０００９】
そこで、本考案は、ホールの島に対して、パチンコ台やパチスロ台等の遊技機を、枠材の材質が異なる場合でも簡単に取り付け、取り外しすることができ、しかも取付け時には、高い取付け精度を容易に実現することができる遊技機の固定構造を提供することを目的とするものである。
【課題を解決するための手段】
【００１０】
請求項１に係る考案は、ホールの島構造に設けられた相互にほぼ平行な、遊技機取付け用の上梁部材と下梁部材との間に前記遊技機の枠材を固定するために使用する遊技機の固定構造に関する。この考案に係る遊技機の固定構造は、前記上梁部材に固定された固定部材と、前記固定部材に対して左右方向移動可能に取り付けられた調整ねじ保持部材と、前記遊技機の枠体の一部を構成する上枠板であって前記上梁部材の下面に重なるように配置された上枠板に固定された調整部材と、前記調整ねじ保持部材に螺合されて前後方向に移動可能であるとともに、先端に前記調整部材が係合された調整ねじと、を備え、前記調整部材は、前記調整ねじの先端に係合された係合部と、前記係合部における前記調整ねじの中心からずれた位置から前方に延設されるとともに、前記上枠板の下面に固定される固定部とを有し、前記固定部が前記調整ねじの中心よりも高い位置に位置する状態で使用する薄板用と、低い位置に位置する状態で使用する厚板用との使用が可能である、ことを特徴としている。
【００１１】
請求項２に係る考案は、請求項１に係る遊技機の固定構造において、前記調整部材の係合部は、前記調整ねじによって回転可能に係合されている、ことを特徴としている。
【００１２】
請求項３に係る考案は、請求項２に係る遊技機の固定構造において、前記調整部材の係合部は、前記固定部が前記調整ねじの中心よりも高い位置にあるときを基準とした上下方向に長い長孔を有し、前記長孔は前記調整ねじの先端に対し長手方向に移動可能に係合されている、ことを特徴としている。
【００１３】
請求項４に係る考案は、請求項１ないし３のいずれか１項に係る遊技機の固定構造において、前記固定部材は、左右方向に長い長孔を有し、前記調整ねじ保持部材は、前記長孔を貫通するボルト部材にナット部材を螺合させることで、前記固定部材に対して左右方向移動可能に取り付けられる、ことを特徴としている。
【００１４】
請求項５に係る考案は、請求項１ないし４のいずれか１項に係る遊技機の固定構造において、前記調整部材は、ゴム部材を介して前記調整ねじに係合されている、ことを特徴としている。
【００１５】
請求項６に係る考案は、ホールの島構造に設けられた相互にほぼ平行な、遊技機取付け用の上梁部材と下梁部材との間に前記遊技機の枠材を固定するために使用する遊技機の固定構造に冠する。この考案に係る遊技機の固定構造は、前記下梁部材に固定された調整ねじ保持部材と、前記調整ねじ保持部材に螺合されて前後方向に移動可能であるとともに、前記遊技機の枠体の一部を構成する下枠板であって前記下梁部材の上面に重なるように配置された下枠板の後端に当接される前後調整ねじと、前記調整ねじ保持部材に螺合されて上下方向に移動可能であるとともに、前記下枠板の上面を押圧する上下調整ねじと、を備えた、ことを特徴としている。
【００１６】
請求項７に係る考案は、請求項６に係る遊技機の固定構造において、前記上下調整ねじは、下端に、前記下枠板の上面に食い込む爪部を有する、ことを特徴としている。
【００１７】
請求項８に係る考案は、ホールの島構造に設けられた相互にほぼ平行な、遊技機取付け用の上梁部材と下梁部材との間に前記遊技機の枠材を固定するために使用する遊技機の固定構造に関する。この考案に係る遊技機の固定構造は、前記上梁部材に固定された固定部材と、前記遊技機の枠体の一部を構成する上枠板であって前記上梁部材の下面に重なるように配置された上枠板の下面に当接される下アームと、前記固定部材の上方に位置する上アームと、前記下アームと前記上アームとを連結する連結アームとを有し、前記固定部材に対して上下方向移動可能に取り付けられた固定ねじ保持部材と、前記上アームに螺合されて上下方向に移動可能であるとともに、前記固定部材を上方から押圧する固定ねじと、を備える、ことを特徴としている。
【００１８】
請求項９に係る考案は、請求項８に係る遊技機の固定構造において、前記固定ねじ保持部材の連結アームは、上下方向に長い長孔を有し、前記固定部材と前記長孔とを貫通するボルト部材にナット部材を螺合させることで、前記固定部材に対して上下方向移動可能に取り付けられる、ことを特徴としている。
【考案の効果】
【００１９】
請求項１の考案によると、調整ねじ保持部材は、上梁部材に固定された固定部材に取り付けられている。また、上枠板に固定された調整部材は、調整ねじ保持部材に螺合された調整ねじの先端に係合されている。したがって、調整ねじを一方向又は他方向に回転させることにより、調整部材を介して上枠板を上梁部材に対して前後方向に移動させることができる。つまり、調整ねじの回転により、上梁部材に対する上枠板の前後方向の位置を微調整することができる。また、調整部材は、その固定部が係合部における調整ねじの中心からずれた位置から前方に延設されていて、この固定部が調整ねじの中心よりも高い位置に位置する状態と、低い位置に位置する状態とでの使用が可能である。つまり、上枠板の厚さに応じて、固定部の位置を使い分けることが可能であり、複数種類の厚さに対応することができる。
【００２０】
請求項２の考案によると、調整ねじに対して調整部材の係合部を回転させることで、固定部を調整ねじの中心よりも高い位置と低い位置とに配置することができる。
【００２１】
請求項３の考案によると、調整部材の係合部は、長孔によって調整ねじの先端に係合されているので、固定部を調整ねじの中心よりも高い位置と低い位置とに配置することができるのに加えて、さらに長孔の長さに応じてそれぞれの高さを微調整することが可能である。
【００２２】
請求項４の考案によると、ナット部材を緩めることで、調整ねじ保持部材を簡単に左右方向に移動させることができる。
【００２３】
請求項５の考案によると、遊技機から上梁部材に伝達される振動を、ゴム部材により緩和することができる。
【００２４】
請求項６の考案によると、前後調整ねじの回転により、下梁部材に対する下枠板の前後方向の位置を微調整することができる。また、上下調整ねじは、下枠板の上面を押圧して下梁部材に固定するので、厚さが異なる下枠板に対しても、構造を変更することなく、ねじ込み量を調整するだけで簡単に対処することができる。
【００２５】
請求項７の考案によると、上下調整ねじは、下端に爪部を有しているので、この爪部を食い込ませて下枠板を確実に固定することができる。
【００２６】
請求項８の考案によると、固定ねじ保持部材が上下方向に移動可能であり、また、固定ねじ保持部材の上アームによって上下方向に移動可能に螺合された固定ねじによって、下アームとの間に上梁部材及び上枠板を挟み込むことで固定するので、厚さが異なる上枠板に対しても、構造を変更することなく、固定ねじ保持部材の上下方向の位置及び固定ねじのねじ込み量を調整するだけで簡単に対処することができる。
【００２７】
請求項９の考案によると、ナット部材を緩めることで、固定ねじ保持部材を簡単に上下方向に移動させることができる。
【考案を実施するための最良の形態】
【００２８】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２９】
図１〜図４を参照して、本考案に係る遊技機の固定構造によって遊技機が取り付けられる島構造について説明する。このうち、図１は、本考案に島１の全体斜視図である。また図２（ａ）は島１全体の上面図、（ｂ）は正面図である。ここで、以下の説明では、島１に設置する遊技機がパチンコ台Ｍであって、このパチンコ台Ｍを１列１４台で表側（図１，図２で見える側）に１列、裏側（図１，図２では見えない側）に１列の計２列で、合計２８台配設して１つの島１を構成する場合を例に説明する。なお、これらの図に示す島１は、正面から見た状態において、中央に、パチンコ玉を回収するための柱状のパチンコ玉回収路Ｐが配設されていて、このパチンコ玉回収路Ｐを境に、左側に７台、右側に７台のパチンコ台Ｍ（ただし、図１において左側の７台のパチンコ台Ｍを図示）が設置されるようになっている。また、図１，図２（ｂ）においては、島１におけるパチンコ玉回収路Ｐの左側と右側とでは異なる状態を示している。さらに、図３は、パチンコ台の４台分の島構造を示す分解斜視図である。図４は、パチンコ台Ｍの４台分の島構造を示す正面図である。
【００３０】
図１〜図４に示すように、島１は、島の強度メンバー（構造体）となるフレーム状の島構造（後述のサイドフレームユニット１１，連結フレームユニット１２〜１５）と、島構造に組み込まれるパチンコ玉回収樋（不図示），パチンコ玉補給路１７等の付属装置と、島構造に取り付けられるパネル部材（後述の下パネル１８ａ，１８ｂ、上パネル１９ａ，１９ｂ、サイドパネル２０ａ，２０ｂ）と、パチンコ台Ｍ等とを主要構成要素として構築されている。
【００３１】
このうち島構造は、前後方向に向けた姿勢でホールの床面Ｆに立設されるとともに、左右方向に複数（本実施形態では１０個）配設されたサイドフレームユニット１１，１１…、連結フレームユニットとしての、下フレームユニット１２，１２…、１３，１３…と、上フレームユニット１４，１４…、１５，１５…とによって構築されている。なお、図１においては、この島構造に、下パネル１８ａ，１８ａ…、１８ｂ，１８ｂ…、上パネル１９ａ，１９ａ…、１９ｂ，１９ｂ…、そして左側のサイドパネル２０ａ，右側のサイドパネル２０ｂが取り付けられた状を示している。
【００３２】
図５（ａ）に、サイドフレームユニット１１を右側から見た図を示す。サイドフレームユニット１１は、縦長のフレーム状に形成されていて、軸Ｃを基準として前側（同図中の左側）と後側（同図中の右側）とが線対称となるように構成されている。サイドフレームユニット１１は、下から順に配置された、２本の下支柱２１，２１、中支柱２２，２２、上支柱２３，２３と、これらを連結する連結部材２４，２４…、２５，２５…，３０，３０…とによって、全体としてユニットを構成している。２本の下支柱２１，２１及び上支柱２３，２３は、前後方向の間隔（図５中における左右方向の間隔）がほぼ同じに配置されていて、中支柱２２，２２は、これらよりも狭い間隔で配置されている。各中支柱２２の下端及び上端は、それぞれ連結部材２４，２４によって、下支柱２１の上端、及び上支柱２３の下端に連結されている。さらに２本の下支柱２１，２１は、その下端において、連結部材２５によって連結され、また２本の上支柱２３，２３は、その上端において連結部材２５によって連結され、また２本，中支柱２２，２２は、その上端において連結部材３０によって連結されている。上述の各支柱は、その長手方向に直交する方向の断面形状が矩形の溝形部材（例えば鋼材）によって形成されている。また、２本の中支柱２２，２２には、補強板２６が固定されている。この補強板２６は、図５（ｂ）に示すように、コンセント２７等が装着された取付板２８を支持する台座としても兼用される。また、コンセント２７に導かれるケーブル５６は、上面図である図５（ｃ）及び側面図である図５（ｄ）に示すように、上述の連結部材３０によって支持された配線ダクト５５内に配線されている。配線ダクト７０には、図５（ｂ），（ｃ）に示すように、コンセント２７に対応する位置に、透孔５５ａが穿設されていて、配線ダクト５５内のケーブル５６は、この透孔５５ａを通ってコンセント２７に導かれるようになっている。
【００３３】
このように構成されたサイドフレームユニット１１の下端、すなわち下支柱２１，２１の下端には、サイドフレームユニット１１をホールの床面Ｆに立設させるための固定具３１，３１がそれぞれ設けてある。
【００３４】
図６（ａ），（ｂ），（ｃ）に、固定具３１の拡大図を示す。このうち（ａ）は、図５中の左側の固定具３１を図５（ａ）と同方向から見た拡大図であり、（ｂ）は同じ固定具３１を図５（ａ）中の矢印Ａ方向から見た図であり、（ｃ）は同じ固定具３１を図５（ａ）の背面側から見た図である。
【００３５】
固定具３１は、サイドフレームユニット１１の下支柱２１の下端部を表裏方向（左右方向）から挟み込むＬ字形部材３２，３３とこれらを締結するボルト及びナットによって構成されており、全体は、床面Ｆに敷設された薄板状のベース板３４上に配置されている。Ｌ字形部材３２は、水平板３２ａと垂直板３２ｂとこれらに直交する補強板３２ｃとを有している。水平板３２ａには、透孔（不図示）が穿設されていて、床面Ｆに埋め込まれたアンカーボルト３５ａが貫通されている。アンカーボルト３５ａの上端にナット３５ｂを螺合、締め付けることにより、Ｌ字形部材３２がベース板３４上に固定されている。Ｌ字形部材３２の垂直部３２ｂには、縦方向に長い長孔３２ｄが穿設されている。この長孔３２ｄは、サイドフレームユニット１１の高さを調整するためのものであり、後述するボルト３７ａ，３８ａが貫通される。もう１つのＬ字形部材３３は、水平板３３ａと垂直板３３ｂとを有している。水平板３３ａには、ねじ孔（不図示）が穿設されている。このねじ孔には、高さ調整ボルト３６ａが螺合されていて、高さ調整ボルト３６ａの先端は、ベース板３４に当接されている。高さ調整ボルト３６ａには、水平板３３ａの上面側にナット３６ｂが螺合され、また、水平板３３ａの下面側にナット３６ｃが螺合されている。Ｌ字形部材３３の垂直板３３ｂには、上下に２個の透孔（不図示）が穿設されており、サイドフレームユニット１１の下支柱２１におけるこの透孔に対応する位置にも、同様の透孔（不図示）が穿設されている。これら透孔にはボルト３７ａ及びボルト３８ａが貫通されており、これらボルト３７ａ，３８ａの先端は、上述のＬ字形部材３２の垂直板３２ｂの長孔３２ｄを貫通するとともに、ナット３７ｂ，３８ｂが螺合されている。これらナット３７ｂ，３８ｂを締め付けることにより、Ｌ字形部材３２，３３の垂直板３２ｂ，３３ｂにより、広い面積で下支柱１１を表裏から挟み込んで強力に支持することができるようになっている。
【００３６】
上述構成の固定具３１を使用したサイドフレームユニット１１の高さ調整は次のようにして行う。ボルト３７ａ，３７ｂに螺合されたナット３７ｂ，ナット３８ｂを緩め、また、高さ調整ボルト３６ａに螺合されているナット３６ｂ，３６ｃを緩める。この状態で高さ調整ボルト３６ａを右に回すと、サイドフレームユニット１１は上昇し、逆に左に回すと下降する。高さ調整ボルト３６ａを右又は左に適宜に回して、サイドフレームユニット１１を適宜な高さに調整する。高さが決まったら、ナット３７ｂ，３８ｂを締め付け、また、高さ調整ボルト３６ａのナット３６ａ，３６ｂを締め付ける。同様の作業を、サイドフレームユニット１１の２本の下支柱２１，２１に配設された２箇所の固定具３１，３１について行う。これにより、サイドフレームユニット１１の高さ調整及び前後のレベル調整を行うことができる。
【００３７】
図３に示すように、２本のサイドフレームユニット１１，１１のそれぞれの下支柱２１，２１の間に、下フレームユニット１２が配設されている。下支柱２１には、上下方向に多数のスリット２１ａが形成されていて、このスリット２１ａに、下フレームユニット１２の側面から突設されたフック１２ａを係合させることで、下支柱２１間に下フレームユニット１２を取り付けることができる。取り付けられた下フレームユニット１２と床面Ｆとの間には、図３中に示すように間隙Ｇが形成される。この間隙Ｇは、幅木４１を取り付けることで埋められる。２本のサイドフレームユニット１１，１１の下支柱２１，２１の間における床面Ｆ上には、水平部４０ａと垂直部４０ｂとを有する「Ｌ」字形の幅木固定部材４０が配設されている。幅木固定部材４０は、水平部４０ａに貫通されたねじ４２を床面Ｆにねじ込むことで、床面Ｆに固定されている。一方、幅木４１の下端には、後方に向けて折曲され、さらに上方に向けて折曲された折曲部４１ａが設けてある。また、幅木４１の裏面における下端部には、ばね部材４１ｂが固定されている。ばね部材４１ｂは、「Ｌ」字形部４１ｃとその後端に連続する「く」字形部４１ｄを有している。ばね部材４１ｂは、「く」字形部４１ｄが付勢力（ばね力）をもって折曲部４１ａに当接されている。幅木４１は、折曲部４１ａと「く」字形部４１ｄとの間に、上述の幅木固定部材４０の垂直部４０ｂを挟み込むことで下端部が位置決め固定され、また上端部が下フレームユニット１２の下端にねじ止めされている。なお、幅木４１を幅木固定部材４０に取り付ける際には、「く」字形部４１ｄの下端が広がっていてガイドの役目をなすので、折曲部４１ａと「く」字形部４１ｄとの間に垂直部４０ｂを簡単に挿入することができ、取り付けが容易である。下フレームユニット１２の前面には、下パネル１８ａがねじ止めされて取り付けられている。
【００３８】
図３に示すように、上パネル１９ａは、上フレームユニット１４の上端によって開閉自在に支持されている。開放時の上パネル１９ａは、支持部材５０によってほぼ水平状態で保持されるようになっている。支持部材５０は、上フレームユニット１４に固定される支持金具５１と、この支持金具５１によって水平方向回転可能に支持された支持具５２とを有している。支持金具５１は、上パネル１４に固定された台座部５１ｄとこの台座部５１ｄと一体の円筒部５１ａとを有していて、円筒部５１ａの上端には、傾斜部５１ｂとストッパ部５１ｃとが形成されている。上パネル１９ａの閉鎖状態においては、支持部材５０は、上パネル１９ａによって支持具５２が押し込まれて横向き（左向き）に配置される。支持部材５０は、上パネル１９ａが開放されると、支持具５２がその自重により自動的に傾斜面５１ｂに倣って前方向に回転し、ほぼ９０度回転したところでストッパ部５１によって停止される。その後、開放していた上パネル１９ａを手放すと、上パネル１９ａは、支持部材５０に支持されてほぼ水平状態を維持するようになっている。なお、上パネル１９ａを閉じる場合には、支持具５２を傾斜部５１ｂに逆らうようにして少し回転させ、その後、上パネル１９ａを閉じると、支持具５２は、この上パネル１９ａによって上述の横向きに押し込まれる。このように、支持部材５０は、上パネル１９ａを開放するだけで、特別な開放動作を伴うことなく、自動的に回転して、上パネル１９ａを保持できる位置に移動する。
【００３９】
図７（ａ）の正面図、（ｂ）の右側から見た図に示すように、上フレームユニット１４の表面側には、上下方向に長い長孔が、左右方向に多数穿設された取付金具５９が配設されている。また、上フレームユニット１４の裏面側には、コンセント板受金物５３、天板受金物５４が配設されている。コンセント板受金具５３は、コンセント５７が取り付けられた取付板５８を支持するものである。
【００４０】
図８に、上述の島１に取り付けるパチンコ台Ｍの構成の概略を示す。(ａ)は正面図、(ｂ)は上面図、（ｃ）は（ａ）中のＡ−Ａ線矢視図、（ｄ）は背面図である。パチンコ台Ｍは、額縁状の枠体Ｍ１と、枠体Ｍ１の左端側を基準に開閉自在な扉Ｍ２を有している。（ｂ）では、扉Ｍ２を閉鎖した状態を実線で、また、扉Ｍ２を開放した状態を点線で示している。扉Ｍ２は、前面ガラスと遊技盤とによって構成されている。枠体Ｍ１は、４枚の板状部材、すなわち上枠板Ｍ３、左枠板Ｍ４、下枠板Ｍ５、右枠板Ｍ６を長方形状に組み合わせることで枠状に形成されている。本実施形態では、図８（ｃ），（ｄ）、図９に示すように、島１側の上部において左右方向に設けられた上梁部材４３と下部において左右方向に設けられた下梁部材４４との間に、枠体Ｍ１を配置し、その上枠板Ｍ３を、上固定具６０，６０によって上梁部材４３に固定し、また、その下枠板Ｍ５を、下固定具７０によって下梁部材４４に固定することで、パチンコ台Ｍを島１に取り付けるようにしている。ここで、上梁部材４３は、金属製の場合と木製の場合とがあり、これらを区別する必要がある場合には、金属製のものを上梁部材４３Ａとし、木製のものを上梁部材４３Ｂとして区別するものとする。なお、図９に示すように、下梁部材４４の下面側には、下梁部材４４から前方に飛び出した、台板４５が配置されている。この台板４５は、遊技者が獲得したパチンコ玉を収納したケース（不図示）等を置くのに使用する台となる。
【００４１】
図１０〜図１７を参照して、上固定具６０について詳述する。このうち、図１０は、上固定具６０の全体構成を斜め後方から見た斜視図である。図１１（ａ）は、アングル部材６１以外の固定具６０の右側面図、（ｂ）は同じく下面図、（ｃ）は同じく背面図である。図１２は、調整ねじ保持部材６２、ねじ（ボルト部材）６５、蝶ナット（ナット部材）６６の上面図である。図１３（ａ）は調整部材６３の右側面図であり、（ｂ）は調整部材６３の背面図である。図１４は、調整ねじ６４、ゴム部材６７、ねじ６８の右側面図である。図１５（ａ）は、アングル部材６１の上面図であり、（ｂ）はアングル部材６１以外の上固定具６０の上面図である。図１６（ａ）は、上固定具６０の背面図であり、（ｂ）は、枠体Ｍ１の上枠板が金属製の上枠板Ｍ３ａである場合の上固定具６０の使用状態を示す右側面図である。図１７は、枠体Ｍ１の上枠板が木製の上枠板Ｍ３ｂである場合の上固定具６０の使用状態を示す右側面図である。
【００４２】
図１０，図１５（ａ）に示すように、上固定具６０は、上梁部材４３Ａに固定するアングル部材（固定部材）６１と、蝶ナット６６によってアングル部材６１に取り付けられる調整ねじ保持部材６２と、この調整ねじ保持部材６２に螺合された調整ねじ６４と、上枠板Ｍ３に固定されるとともに調整ねじ６４によって前後方向に移動される調整部材６３と、調整ねじ６４の先端に取り付けられたゴム部材６７とを備えている。
【００４３】
アングル部材６１は、図１５，図１６に示すように、左右方向に長い水平部６１ａと、この水平部６１ａの長手方向の両端側のそれぞれに設けた垂直部６１ｂとを有しており、垂直部６１ｂには、左右方向に長い長孔６１ｃが形成されている。また、水平部６１ａには、複数の６１ｄ，６１ｅが穿設されている。大きい透孔６１ｄは、図１６（ｂ）に示すように、金属製の上梁部材４３Ａに、アングル部材６１を締結具９０によって固定する際に使用される。一方、小さい透孔６１ｅは、図１７に示すように、木製の上梁部材４３Ｂに、アングル部材６１をねじ９２によって固定する際に使用される。
【００４４】
調整ねじ保持部材６２は、図１１（ａ）に示す状態で、Ｌ字形に形成されている。調整ねじ保持部材６２は、先端側に、透孔６２ｂを有する取付部６２ａが左右に広がるように形成されている。また、中間部には、左右方向に膨らんだ補強用の凸部６２ｃが形成されている。さらに、下端部には、前後方向に向けて、調整ねじ６４が螺合される螺合部６２ｄが形成されている。上述の取付部６２ａの透孔６２ｂには、図１２に示すように、上述のアングル部材６１の長孔６１ｃに通されたねじ６５が貫通されており、ねじ６５には、蝶ナット６６が螺合されている。調整ねじ保持部材６２は、蝶ナット６６を緩めることで、アングル部材６１の長孔６１ｃに沿って左右方向に移動させることができるようになっている。
【００４５】
図１３（ａ），（ｂ）に示すように、調整部材６３は、板状の部材を屈曲させることで側面視がほぼＬ字形に形成されており、基端部（係合部）６３ａと、基端部６３ａにおける調整ねじ６４の中心からずれた一方の端部から屈曲された中間部６３ｂと、この中間部６３ｂに段部６３ｃを介して連続する先端部（固定部）６３ｄを有している。つまり、この先端部６３ｄは、基端部６３ａにおける調整ねじ６４の中心からずれた位置から前方に延びるように形成されている。基端部６３ａには、上下方向に長い長孔６３ｅが穿設されている。この長孔６３ｅには、後述する調整ねじ６４の先端が貫通される。基端部６３ａは、この長孔６３ｅによって、調整ねじ６４の先端部に対して、回転可能でかつ長孔の長さに対応して移動可能に係合されている。また、調整部材６３の先端部６３ｄには、図１１（ｂ）に示すように、複数の透孔ａ，ｂが穿設されている。大きい透孔ａは、図１６（ｂ）に示すように、その厚さが木製の上枠板Ｍ３ｂと比べて薄い金属製の上枠板Ｍ３ａに対して使用される。上枠板Ｍ３ａが金属製の場合、調整部材６３は、中間部６３ｂ、段部６３ｃ、及び先端部６３ｄが調整ねじ６４の中心に対して上側に位置する状態で使用され、大きい透孔ａにねじ９１を貫通させるとともに、このねじ９１を上枠板Ｍ３ａに螺合することで、上枠板Ｍ３ａに固定される。一方、小さい透孔ｂは、図１７に示すように、その厚さが金属製の上枠板Ｍ３ａと比べて厚い木製の上枠板Ｍ３ｂに対して使用される。上枠板Ｍ３ｂが木製の場合、調整部材６３は、中間部６３ｂ、段部６３ｃ、及び先端部６３ｄが調整ねじ６４の中心に対して下側に位置する状態で使用され、小さい透孔ｂにねじ９３を貫通させるとともに、このねじ９３を上枠板Ｍ３ｂにねじ込むことで、上枠板Ｍ３ｂに固定される。
【００４６】
図１４に示すように、調整ねじ６４は、大径のつまみ６４ａと、ねじ部６４ｂと、ストッパ６４ｃと、雌ねじ部６４ｄが形成された先端部６４ｅとを有している。先端部６４ｅには、ゴム部材６７が取り付けられる。ゴム部材６７は、その内面６７ａを先端部６４ｅに係合させるとともに、雌ねじ部６４ｄにねじ６８が螺合されることで、図１１（ａ），（ｂ）に示すように、一方の端部とストッパ６４ｃとの間で調整部材６３の基端部６３ａを挟み込む。
【００４７】
上述構成の上固定具６０は、図１５（ａ），図１６（ａ）に示すように、金属製の上梁部材４３Ａ及び金属製の上枠板Ｍ３ａに対しては、以下のようにして使用される。金属製の上梁部材４３Ａに対し、アングル部材６１を透孔６１ｄを使用して締結具９０によって固定する。また、金属製の上枠板Ｍ３ａに対し、調整部材６３をその先端部６３ｄが上側に位置する状態でねじ９１により固定する。アングル部材６１の垂直部６１ｂの長孔６１ｃ、及び調整ねじ保持部材６２の取付部６２ａの透孔６２ｂにねじ６５を貫通させ、ねじ６５に蝶ナット６６を螺合させて締め付ける。以上により、上梁部材４３Ａ側にアングル部材６１及び調整ねじ保持部材６２が固定され、一方、上枠板Ｍ３ａ側に調整部材６３、ゴム部材６７、調整ねじ６４が取り付けられた状態となる。この状態では、上梁部材４３Ａと上枠板Ｍ３ａとの間には、前者に対して後者を移動させることができるように間隙が確保されるようになっている。そして、上梁部材４３Ａ側の調整ねじ保持部材６２に、上枠板Ｍ３ａ側の調整ねじ６４が螺合された状態となる。したがって、調整ねじ６４を右方向（時計回り）に回転させて、調整ねじ６４をねじ込むと調整部材６３を介して上枠板Ｍ３ａを前側（図１６（ｂ）中の左側）に移動させて、その位置を微調整することができる。この逆に、調整ねじ６４を左方向（反時計回り）に回転させて、調整ねじ６４を引き出すと調整部材６３を介して上枠板Ｍ３ａを後側（図１６（ｂ）中の右側）に移動させて、その位置を微調整することができる。また、上梁部材４３Ａに対する上枠板Ｍ３ａの左右方向の位置の微調整は、蝶ナット６６を緩めた状態で、調整ねじ保持部材６２を左右方向に移動させ、その後、蝶ナット６６を締め付けることで簡単に行うことができる。また、本実施形態では、調整部材６３がゴム部材６７によって調整ねじ６４に取り付けられているので、遊技中の遊技機Ｍ側の振動が緩和された状態で、上梁部材４３Ａに伝わるようになっている。
【００４８】
上述構成の上固定具６０は、図１７に示すように、木製の上梁部材４３Ｂ及び木製の上枠板Ｍ３ｂに対しては、以下のようにして使用される。木製の上梁部材４３Ｂに対し、アングル部材６１を透孔６１ｅを使用してねじ９２によって固定する。また、木製の上枠板Ｍ３ｂに対し、調整部材６３をその先端部６３ｄが下側に位置する状態でねじ９３により固定する。その他については、上述の金属製の上梁部材４３Ａ及び金属製の上枠板Ｍ３ａの場合と同様である。
【００４９】
本実施形態によると、側面視がほぼＬ字形の調整部材を、厚さの薄い金属製の上枠板Ｍ３ａに対しては、先端部６３ｄが上側に位置するようにして使用し、一方、厚さの厚い木製の上枠板Ｍ３ｂに対しては、先端部６３ｄが下側に位置するようにして使用することで、いずれの上枠板Ｍ３に対しても同じ上固定具６０で対処することができる。また、上述のように、上梁部材４３Ａ（又は４３Ｂ）に対する上枠板Ｍ３ａ（又はＭ３ｂ）の位置の微調整も簡単に行うことができる。
【００５０】
次に、図１８，図１９（ａ）〜（ｄ）を参照して、下固定具７０について詳述する。このうち、図１８は、下固定具７０の全体を斜め後方から見た斜視図である。図１９（ａ）は下固定具７０の右側面図、（ｂ）は上面図、（ｃ）は固定ねじ（上下調整ねじ）７３の右側面図、（ｄ）は下固定具７０の背面図である。
【００５１】
これらの図に示すように、下固定具７０は、調整ねじ保持部材７１と、調整ねじ（前後調整ねじ）７２と、固定ねじ７３とを備えている。
これらの図に示すように、調整ねじ保持部材７１は、図１９（ａ）に示す状態で、Ｌ字形に形成されている。調整ねじ保持部材７１は、先端側に、固定ねじ７３が上下方向に螺合される螺合部７１ａを有している。また、中間部には、左右方向に膨らんだ補強用の凸部７１ｃが形成されている。さらに、下端部には、前後方向に向けて、調整ねじ７２が螺合される螺合部７１ｂが形成されている。螺合部７１ｂのさらに下方には、左右方向に広がった取付部７１ｄが形成されていて、この取付部７１ｄには透孔７１ｅが穿設されている。調整ねじ保持部材７１は、透孔７１ｅに貫通させたねじ９４を木製の下梁部材４４にねじ込むことで、下梁部材４４に固定されている。
【００５２】
調整ねじ７２は、上述の調整ねじ保持部材７１の螺合部７１ｂに螺合されたねじ部７２ａと、ねじ部７２ａの先端に固定された押圧板７２ｂと、ねじ部７２ａよりも基端側に取り付けられたハンドル７２ｃとを有している。調整ねじ７２は、ハンドル７２ｃを使用して右回り（時計回り）に回転させることで、押圧板７２ｂが前進して下枠板Ｍ５を前側（図１９（ａ）中の左側）に移動させることができる。逆に、左回り（反時計回り）に回転させることで、押圧板７２ｂが後退して、押圧板７２ｂと下枠板Ｍ５の後端との間に間隙が形成される。下枠板Ｍ５を前側から押して押圧板７２ｂに押し当てることで、この間隙をなくして下枠板Ｍ５を後方に移動させることができる。なお、下枠板Ｍ５の下側の斜線部分は、下枠板Ｍ５が金属製で薄い場合を図示している。
【００５３】
固定ねじ７３は、上述の調整ねじ保持部材７１の螺合部７１ａに螺合されたねじ部７３ａと、ねじ部７３ａの先端に固定された爪部７３ｂと、ねじ部７２ａよりも上端側に取り付けられたハンドル７３ｃとを有している。固定ねじ７３は、ハンドル７３ｃを使用して右回り（時計回り）に回転させることで、爪部７３ｂが下降して下枠板Ｍ５の上面に食い込んで下枠板Ｍ５を固定する。逆に、左回り（反時計回り）に回転させることで、爪部７３ｂを上昇させて固定を解除することができる。
【００５４】
上述構成の下固定具７０は、調整ねじ７２を適宜に回転させることで、下枠板Ｍ５の前後方向に位置を微調整することができる。なお、下枠板Ｍ５の左右方向の位置は、枠体Ｍ１全体を手で移動させることで、位置決めすることができる。こうして、下枠板Ｍ５の前後及び左右方向に位置決めした後、固定ねじ７３を右方向に回して、下枠板Ｍ５に爪部７３ｂを食い込ませるとともに下方の下梁部材４４に押し付ける。これにより、下梁部材４４に対して、下枠板Ｍ５を位置決めした状態で固定することができる。
＜実施形態２＞
【００５５】
図２０（ａ）〜（ｅ）に別の上固定具８０を示す。このうち（ａ）は上固定具８０の右側面図、（ｂ）は正面図、（ｃ）は背面図、（ｄ）はアングル部材（固定部材）８１の上面図、（ｅ）は上固定具８０の上面図である。
【００５６】
これらの図に示すように、上固定具８０は、アングル部材８１と、固定ねじ保持部材８２と、固定ねじ８３と、蝶ナット８４と、ねじ８５とを備えている。
アングル部材８１は、水平部８１ａと垂直部８１ｂとを有しており、ねじ９５によって、上梁部材４３に固定されている。アングル部材８１の垂直部８１ｂには、ねじ８５が貫通される透孔８１ｃが穿設されている。
【００５７】
固定ねじ保持部材８２は、側面視がほぼＣ字形に形成されていて、
下アーム８２ｅと上アーム８２ｆとこれらを連結する連結アーム８２ｇとを有している。上アーム８２ｆには、上下方向に向けて螺合部８２ａが形成されている。また、中間部には左右方向に開いた取付部８２ｄが形成されていて、この取付部８２ｄには、縦方向に長い長孔８２ｂが穿設されている。この長孔８２ｂには、上述のアングル部材８１の垂直部８１ｂの透孔８１ｃに通されたねじ８５が貫通されており、ねじ８５には、蝶ナット８４が螺合されている。
【００５８】
固定ねじ８３は、上述の固定ねじ保持部材８２の螺合部８２ａに螺合されるねじ部８３ａと、ねじ部８３の先端（下端）に固定された押圧板８１と、ねじ部の基端部（上端部）に設けられたハンドル８３ｃとを有している。
【００５９】
上述構成の上固定具８０は、固定ねじ保持部材８２に縦方向の長孔８２ｂが穿設されているので、蝶ナット８４を緩めることで、固定ねじ保持部材８２を上下方向に移動させることができ、これにより、厚さの異なる上枠板Ｍ３に対しても容易に対処することができる。蝶ナット８４を締め付けた後、固定ねじ８３を右回り（時計回り）に回転させることで、上梁部材４３と上枠板Ｍ３とを共締めすることができる。
【図面の簡単な説明】
【００６０】
【図１】パチンコホールにおける島の構成を示す斜視図である。
【図２】（ａ）は島の上面図、（ｂ）は島の正面図である。
【図３】パチンコ台の４台分の島の分解斜視図である。
【図４】パチンコ台の４台分の島の正面図である。
【図５】（ａ）はサイドフレームユニットを右側から見た図である。（ｂ）はコンセントの取付板及び配線ダクトを説明する図である。（ｃ）は配線ダクトを上方から見た図である。（ｄ）は配線ダクトを右側から見た図である。
【図６】固定具を説明する図であり、（ａ）は右側から見た図、（ｂ）は図５（ａ）中の矢印Ａ方向から見た図、（ｃ）は左側から見た図である。
【図７】コンセントが取り付けられた取付板を支持するコンセント板受金物を説明する図であり、（ａ）は正面図、（ｂ）は右側から見た図である。
【図８】島に取り付けるパチンコ台の構成の概略を示す図であり、(ａ)は正面図、(ｂ)は上面図、（ｃ）は（ａ）中のＡ−Ａ線矢視図、（ｄ）は背面図である。
【図９】パチンコ台を、上固定具、下固定具によって上梁部材、下梁部材に取り付けた状態を示す右側面図である。
【図１０】上固定具の全体構成を斜め後方から見た斜視図である。
【図１１】（ａ）は、アングル部材以外の固定具の右側面図、（ｂ）は同じく下面図、（ｃ）は同じく背面図である。
【図１２】調整ねじ保持部材、ねじ、蝶ナットの上面図である。
【図１３】（ａ）は調整部材の右側面図であり、（ｂ）は調整部材の背面図である。
【図１４】調整ねじ、ゴム部材、ねじの右側面図である。
【図１５】（ａ）はアングル部材の上面図であり、（ｂ）はアングル部材以外の上固定具の上面図である。
【図１６】（ａ）は上固定具の背面図であり、（ｂ）は枠体の上枠板が金属製である場合の上固定具の使用状態を示す右側面図である。
【図１７】枠体の上枠板が木製である場合の上固定具の使用状態を示す右側面図である。
【図１８】下固定具の全体を斜め後方から見た斜視図である。
【図１９】（ａ）は下固定具の右側面図、（ｂ）は上面図、（ｃ）は調整ねじの右側面図、（ｄ）は下固定具の背面図である。
【図２０】実施形態２の上固定具を説明する図であり、（ａ）は上固定具の右側面図、（ｂ）は正面図、（ｃ）は背面図、（ｄ）はアングル部材の上面図、（ｅ）は上固定具の上面図である。
【符号の説明】
【００６１】
１          島
４３        上梁部材
４３Ａ      金属製の上梁部材
４３Ｂ      木製の上梁部材
６１        アングル部材（固定部材）
６１ｃ      長孔
６２        調整ねじ保持部材
６３        調整部材
６３ａ      基端部（係合部）
６３ｄ      先端部（固定部）
６３ｅ      長孔
６４        調整ねじ
６５        ねじ（ボルト部材）
６６        蝶ナット（ナット部材）
６７        ゴム部材
７１        調整ねじ保持部材
７２        調整ねじ（前後調整ねじ）
７３        固定ねじ（上下調整ねじ）
７３ｂ      爪部
８１        アングル部材（固定部材）
８２        固定ねじ保持部材
８２ｅ      下アーム
８２ｆ      上アーム
８２ｇ      連結アーム
８３        固定ねじ
Ｍ          パチンコ台（遊技機）
Ｍ１        枠体
Ｍ３        上枠板
Ｍ３ａ      金属製の上枠板
Ｍ３ｂ      木製の上枠板
【図１】
0003130005.tif 000003
【図２】
0003130005.tif 000004
【図３】
0003130005.tif 000005
【図４】
0003130005.tif 000006
【図５】
0003130005.tif 000007
【図６】
0003130005.tif 000008
【図７】
0003130005.tif 000009
【図８】
0003130005.tif 000010
【図９】
0003130005.tif 000011
【図１０】
0003130005.tif 000012
【図１１】
0003130005.tif 000013
【図１２】
0003130005.tif 000014
【図１３】
0003130005.tif 000015
【図１４】
0003130005.tif 000016
【図１５】
0003130005.tif 000017
【図１６】
0003130005.tif 000018
【図１７】
0003130005.tif 000019
【図１８】
0003130005.tif 000020
【図１９】
0003130005.tif 000021
【図２０】
0003130005.tif 000022